(57)【要約】【課題】  煩雑な操作を伴うことなく容易に、適切な配置レイアウトや大きさで画像が配置されたアルバムファイルを作成する。【解決手段】  （ａ）に示すように、予めパーソナルコンピュータ７を用いて、アルバムデータ３０を作成した後、デジタルカメラ１に送信しておく。しかる後にユーザは（ｂ）に示すように、コメントデータ３０２が示す「○○ランドマーク」であるランドマークＬで撮影する。次に、再生モードをＯＮにすると、デジタルカメラ１は、（ｃ）に示すように、アルバムデータ３０を表示部１３に表示し、撮影した画像データが画像貼り付けエリア３０１に合致するサイズで表示されるように、画像データを縮小処理する。これにより、デジタルカメラ１の表示部１３には、アルバムデータ３０の画像貼り付けエリア３０１にランドマークＬの画像が貼り付けられたアルバム画像が表示される。【選択図】    図７
2005051642.tif 000002
【特許請求の範囲】
【請求項１】
予め定められている表示領域内に画像が配置される画像貼り付けエリアを少なくとも一箇所アルバムデータとして撮影に先立って記憶しているアルバムデータ記憶手段と、
撮影された画像データを記憶する画像データ記憶手段と、
前記少なくとも一箇所のアルバムデータの画像貼り付けエリアに前記画像データに基づく画像が貼り付けられて表示させる表示制御手段と
を備えることを特徴と得る画像処理装置。
【請求項２】
ネットワークを介して前記アルバムデータを取得する取得手段を更に備え、
前記アルバムデータ記憶手段は、前記取得手段により取得されたアルバムデータを記憶する手段を備えていることを特徴とする請求項１記載の画像処理装置。
【請求項３】
前記アルバムデータは、前記画像貼り付けエリアに貼り付けられる画像のコメントデータを含むことを特徴とする請求項１記載の画像処理装置。
【請求項４】
前記画像貼り付けエリアに貼り付けられる画像のコメントデータを受信する受信手段を更に備え、
前記表示制御手段は、前記コメントデータに基づくコメントが前記貼り付けられた画像の近傍に表示されるように、前記コメントデータを更に表示させる手段を備えていることを特徴とする請求項１記載の画像処理装置。
【請求項５】
撮影手段を更に有し、
前記受信手段は前記撮影手段の撮影動作に応答して前記コメントデータを受信し、
前記表示制御手段は、前記撮影手段により撮影されて前記画像データ記憶手段に記憶された画像データに基づく画像が前記画像貼り付けエリアに貼り付けられて表示させる手段を備えていることを特徴とする請求項４記載の画像処理装置。
【請求項６】
前記アルバムデータの画像貼り付けエリアには、文字情報からなる問題データが含まれており、
前記表示制御手段は、さらにこの問題データを表示させ、
撮影手段と、
この撮影手段により撮影された画像と前記問題データに対応する解答画像との一致性を判断する判断手段と、
この判断手段により前記撮影された画像と解答画像とに一致性があると判断された場合に、前記撮影手段により撮影されて前記画像データ記憶手段に記憶された画像データとアルバムデータとの合成を許可する許可手段と
を更に有することを特徴とする請求項１記載の画像処理装置。
【請求項７】
撮影手段を更に有し、
前記画像データ記憶手段は、前記撮影手段により撮影された画像データを記憶し、
前記表示制御手段は、前記画像合成手段により合成されたアルバム画像データに基づき、画像を表示させるとともに、クイズデータ又はパスワード等の遊戯関連情報を表示させることを特徴とする請求項１記載の画像処理装置。
【請求項８】
予め定められている表示領域内に画像が配置される画像貼り付けエリアを少なくとも一箇所アルバムデータとして撮影に先立って記憶しているアルバムデータ記憶手段と、
撮影手段と、
この撮影手段により撮影された画像データに基づく画像が前記画像貼り付けエリアに貼り付けられて表示されるように、前記アルバムデータと画像データとを合成する画像合成手段と、
この画像合成手段により合成されたアルバム画像データを記憶するアルバム画像データ記憶手段と、
ネットワークに接続する接続手段と、
この接続手段を介して前記ネットワークに接続し、前記アルバムデータ記憶手段に記憶されているアルバムデータと同一のアルバムデータを記憶している外部機器を検索する検索手段と、
この検索手段により検索された前記外部機器に前記ネットワークを介して、前記撮影手段により撮影された画像データを送信する送信手段と
を備えることを特徴とする画像処理装置。
【請求項９】
当該装置と他の画像処理装置とを、ネットワークを介して接続する接続手段と、
当該装置と他の画像処理装置とが共通するＩＤを有するものであるか否かを判断する判断手段と、
この判断手段により、前記両装置が共通するＩＤを有するものであると判断された場合、前記他の画像処理装置から送信される、アルバムデータが有する画像貼り付けエリアに画像データに基づく画像が貼り付けられて表示されるようにアルバムデータと画像データとが合成されたアルバム画像データを受信する受信手段と、
この受信手段により受信された前記アルバム画像データを記憶する記憶手段と
を備えたことを特徴とする画像処理装置。
【請求項１０】
相互にネットワークを介して接続可能な第１の装置と第２の装置とからなる画像送受信システムであって、
前記第１の装置は、
画像が配置される画像貼り付けエリアを所定の表示領域内に有するアルバムデータを記憶しているアルバムデータ記憶手段と、
撮影された画像データを記憶する画像データ記憶手段と、
前記画像貼り付けエリアに前記画像データに基づく画像が貼り付けられて表示されるように、前記アルバムデータと画像データとを合成する画像合成手段と、
この合成手段により合成されたアルバム画像データを送信する送信手段とを備え、
前記第２の装置は、
前記第１の装置が当該装置と共通するＩＤを有するものであるか否かを判断する判断手段と、
この判断手段により、前記両装置が共通するＩＤを有するものであると判断された場合、前記第１の装置の送信手段により送信される前記アルバム画像データを受信する受信手段と、
この受信手段により受信された前記アルバム画像データを記憶する記憶手段と
を備えることを特徴とする画像送受信システム。
【発明の詳細な説明】
【技術分野】
【０００１】
本発明は、アルバムデータとして撮影した画像データを貼り付ける画像処理装置及び画像送受信システムに関する。
【背景技術】
【０００２】
従来、予め撮影した画像を所定の領域に適宜のレイアウトで配置したアルバムファイルを作成可能な端末装置が提案されるに至っている。この端末装置は、撮影手段と通信手段とを備え、各端末装置で撮影した画像を他の端末装置に送信する。他の端末装置においては、受信した画像と当該端末装置で撮影した画像とを合成する。このとき、受信した画像と撮影した画像のレイアウト位置及び拡大比率を操作手段により操作指示し、これにより、この操作手段により指示したレイアウト位置及び拡大比率で受信した画像と撮影した画像とが配置されたアルバムファイルの作成されることとなる（例えば、特許文献１参照。）。
【特許文献１】特開２００１−３５８９２７号公報
【発明の開示】
【発明が解決しようとする課題】
【０００３】
しかしながら、前述した従来の装置にあっては、アルバムファイルを作成するに際して、受信した画像と撮影した画像のレイアウト位置及び拡大比率を操作手段により操作指示しなければならない。このため、アルバムファイルを作成する際の操作が煩雑になるとともに、適切な配置レイアウトや拡大比率の画像が配置されたアルバムファイルを作成することが困難となるものであった。
【０００４】
本発明は、このような従来の課題に鑑みてなされたものであり、煩雑な操作を伴うことなく容易に、適切な配置レイアウトや大きさで画像が配置されたアルバムファイルを作成することのできる画像処理装置を提供することを目的とするものである。
【課題を解決するための手段】
【０００５】
前記課題を解決するため請求項１記載の発明にあっては、予め定められている表示領域内に画像が配置される画像貼り付けエリアを少なくとも一箇所アルバムデータとして撮影に先立って記憶しているアルバムデータ記憶手段と、撮影された画像データを記憶する画像データ記憶手段と、前記少なくとも一箇所のアルバムデータの画像貼り付けエリアに前記画像データに基づく画像が貼り付けられて表示させる表示制御手段とを備える。
【０００６】
したがって、アルバムデータの画像貼り付けエリアに、撮影された画像データに基づく画像が貼り付けられて表示されるように、アルバムデータと画像データとの合成がなされる。よって、ユーザは貼り付けられる画像のレイアウト位置や画像の拡大比率を操作指示する必要がなく、適切な配置レイアウトや拡大比率の画像が配置されたアルバム画像データ（アルバムファイル）を容易に作成することができる。
【０００７】
また、請求項２記載の発明にあっては、ネットワークを介して前記アルバムデータを取得する取得手段を更に備え、前記アルバムデータ記憶手段は、前記取得手段により取得されたアルバムデータを記憶する手段を備えている。したがって、ネットワークを介して取得した種々のアルバムデータを用いて、アルバム画像データを作成される。
【０００８】
また、請求項３記載の発明にあっては、前記アルバムデータは、前記画像貼り付けエリアに貼り付けられる画像のコメントデータを含む。したがって、適切な配置レイアウトや拡大比率の画像が配置され、かつ貼り付けられた画像のコメントを含むアルバム画像データが作成される。
【０００９】
また、請求項４記載の発明にあっては、前記画像貼り付けエリアに貼り付けられる画像のコメントデータを受信する受信手段を更に備え、前記表示制御手段は、前記コメントデータに基づくコメントが前記貼り付けられた画像の近傍に表示されるように、前記コメントデータを更に表示させる手段を備えている。したがって、適切な配置レイアウトや拡大比率の画像が配置され、かつ貼り付けられた画像に対する適切なコメントを含むアルバム画像データが作成される。
【００１０】
また、請求項５記載の発明にあっては、撮影手段を更に有し、前記受信手段は前記撮影手段の撮影動作に応答して前記コメントデータを受信し、前記表示制御手段は、前記撮影手段により撮影されて前記画像データ記憶手段に記憶された画像データに基づく画像が前記画像貼り付けエリアに貼り付けられて表示させる手段を備えている。つまり、受信手段は撮影手段の撮影動作に応答してコメントデータを受信することから、撮影動作がコメントデータを受信するためのトリガーとなる。したがって、撮影の都度コメントデータが受信されて、適切な配置レイアウトや拡大比率の画像が配置され、かつ貼り付けられた画像に対する適切なコメントを含むアルバム画像データが作成される。
【００１１】
また、請求項６記載の発明にあっては、前記アルバムデータの画像貼り付けエリアには、文字情報からなる問題データが含まれており、前記表示制御手段は、さらにこの問題データを表示させ、撮影手段と、この撮影手段により撮影された画像と前記問題データに対応する解答画像との一致性を判断する判断手段と、この判断手段により前記撮影された画像と解答画像とに一致性があると判断された場合に、前記撮影手段により撮影されて前記画像データ記憶手段に記憶された画像データとアルバムデータとの合成を許可する許可手段とを更に有する。したがって、ユーザが問題データに対応する解答画像となるランドマーク等を撮影したことを条件に、撮影された画像データとアルバムデータとの合成が行われて、アルバム画像データが作成される。
【００１２】
また、請求項７記載の発明にあっては、撮影手段を更に有し、前記画像データ記憶手段は、前記撮影手段により撮影された画像データを記憶し、前記表示制御手段は、前記画像合成手段により合成されたアルバム画像データに基づき、画像を表示させるとともに、クイズデータ又はパスワード等の遊戯関連情報を表示させる。したがって、撮影を行う都度、合成手段により合成されたアルバム画像データに基づきアルバム画像が表示されるとともに、クイズデータ又はパスワード等の遊戯関連情報が表示される。したがって、この遊戯関連情報に基づく遊戯により、画像処理装置の興趣性が高められる。
【００１３】
また、請求項８記載の発明にあっては、画像が配置される画像貼り付けエリアを所定の表示領域内に有するアルバムデータを記憶しているアルバムデータ記憶手段と、撮影手段と。この撮影手段により撮影された画像データに基づく画像が前記画像貼り付けエリアに貼り付けられて表示されるように、前記アルバムデータと画像データとを合成する画像合成手段と、この画像合成手段により合成されたアルバム画像データを記憶するアルバム画像データ記憶手段と、ネットワークに接続する接続手段と、この接続手段を介して前記ネットワークに接続し、前記アルバムデータ記憶手段に記憶されているアルバムデータと同一のアルバムデータを記憶している外部機器を検索する検索手段と、この検索手段により検索された前記外部機器に前記ネットワークを介して、前記撮影手段により撮影された画像データを送信する送信手段とを備える。したがって、当該画像処理装置においては、適切な配置レイアウトや拡大比率の画像が配置されたアルバム画像データ（アルバムファイル）を作成でき、かつ、外部機器においてもこれとリアルタイムで適切な配置レイアウトや拡大比率の画像が配置されたアルバム画像データ（アルバムファイル）を作成することができる。
【００１４】
また、請求項９記載の発明にあっては、当該装置と他の画像処理装置とを、ネットワークを介して接続する接続手段と、当該装置と他の画像処理装置とが共通するＩＤを有するものであるか否かを判断する判断手段と、この判断手段により、前記両装置が共通するＩＤを有するものであると判断された場合、前記他の画像処理装置から送信される、アルバムデータが有する画像貼り付けエリアに画像データに基づく画像が貼り付けられて表示されるようにアルバムデータと画像データとが合成されたアルバム画像データを受信する受信手段と、この受信手段により受信された前記アルバム画像データを記憶する記憶手段と
を備える。したがって、共通するＩＤを有する当該装置と他の画像処理装置とにおいて、他の装置がアルバムデータと画像データとが合成されたアルバム画像データを送信すると、他の装置がこれを受信して記憶する。よって、共通するＩＤを有する当該装置と他の画像処理装置とが同一のアルバム画像データを共有することとなる。
【００１５】
また、請求項９記載の発明にあっては、相互にネットワークを介して接続可能な第１の装置と第２の装置とからなる画像送受信システムであって、前記第１の装置は、画像が配置される画像貼り付けエリアを所定の表示領域内に有するアルバムデータを記憶しているアルバムデータ記憶手段と、撮影された画像データを記憶する画像データ記憶手段と、前記画像貼り付けエリアに前記画像データに基づく画像が貼り付けられて表示されるように、前記アルバムデータと画像データとを合成する画像合成手段と、この合成手段により合成されたアルバム画像データを送信する送信手段とを備え、前記第２の装置は、前記第１の装置が当該装置と共通するＩＤを有するものであるか否かを判断する判断手段と、この判断手段により、前記両装置が共通するＩＤを有するものであると判断された場合、前記第１の装置の送信手段により送信される前記アルバム画像データを受信する受信手段と、この受信手段により受信された前記アルバム画像データを記憶する記憶手段とを備える。したがって、共通するＩＤを有する第１の装置と第２の装置とが同一のアルバム画像データを共有することのできるシステムが構築される。
【発明の効果】
【００１６】
請求項１に係る発明によれば、アルバムデータの画像貼り付けエリアに、撮影された画像データに基づく画像が貼り付けられて表示されるように、アルバムデータと画像データとの合成がなされることから、ユーザは貼り付けられる画像のレイアウト位置や画像の拡大比率を操作指示する必要がなく、適切な配置レイアウトや拡大比率の画像が配置されたアルバム画像データ（アルバムファイル）を容易に作成することが可能となる。また、この作成されたアルバム画像データに基づき画像を表示させることにより、アルバムデータの画像貼り付けエリアに、撮影された画像データに基づく画像が貼り付けられて合成画像をプレビュー的に表示して、視覚的に確認することが可能となる。
【００１７】
さらに、請求項２に係る発明によれば、ネットワークを介して取得した種々のアルバムデータを用いて、アルバム画像データを作成することができる。
【００１８】
また、請求項３に係る発明によれば、適切な配置レイアウトや拡大比率の画像が配置され、かつ貼り付けられた画像のコメントを含むアルバム画像データを容易に作成することができる。
【００１９】
また、請求項４に係る発明によれば、適切な配置レイアウトや拡大比率の画像が配置され、かつ貼り付けられた画像に対する適切なコメントを含むアルバム画像データを容易に作成することができる。
【００２０】
また、請求項５に係る発明によれば、受信手段は撮影手段の撮影動作に応答してコメントデータを受信することから、撮影動作がコメントデータを受信するためのトリガーとなる。したがって、撮影の都度コメントデータが受信されて、適切な配置レイアウトや拡大比率の画像が配置され、かつ貼り付けられた画像に対する適切なコメントを含むアルバム画像データを作成することができる。
【００２１】
また、請求項６に係る発明によれば、ユーザが問題データに対応する解答画像となるランドマーク等を撮影したことを条件に、撮影された画像データとアルバムデータとの合成が行われて、アルバム画像データが作成されることから、ユーザがランドマーク等の存在する場所に赴いて撮影を順次実行するオリエンテーリングゲームに利用することが可能となる。
【００２２】
また、請求項７に係る発明によれば、撮影を行う都度、合成手段により合成されたアルバム画像データに基づきアルバム画像が表示されるとともに、クイズデータ又はパスワード等の遊戯関連情報が表示されることから、この遊戯関連情報に基づく遊戯により、画像処理装置の興趣性を高めることができる。
【００２３】
また、請求項８に係る発明によれば、当該画像処理装置においては、適切な配置レイアウトや拡大比率の画像が配置されたアルバム画像データ（アルバムファイル）を容易に作成することができ、かつ、外部機器においてもこれとリアルタイムで適切な配置レイアウトや拡大比率の画像が配置されたアルバム画像データ（アルバムファイル）を容易に作成することができる。
【００２４】
また、請求項９に係る発明によれば、共通するＩＤを有する当該装置と他の画像処理装置とが同一のアルバム画像データを共有することとなり、これにより他の装置が有するアルバム画像データを当該装置で確認することが可能となる。
【００２５】
また、請求項１０に係る発明によれば、共通するＩＤを有する第１の装置と第２の装置とが同一のアルバム画像データを共有することのできるシステムを構築することができる。
【発明を実施するための最良の形態】
【００２６】
（第１の実施の形態）
以下、本発明の第１の実施の形態を図に従って説明する。図１は、本実施の形態に係る送受信システムの構成を示すブロック図である。図において、デジタルカメラ（携帯機器）１は、撮像機能とメール作成機能及び作成したメールを、システム（特に、後述するメールサーバ３３）介して相互に送受信するを備えているとともに、パーソナルコンピュータ７より送信されるアルバムデータを受信する機能等を備えている。無線基地局２は、デジタルカメラ１が加入する通信サービス事業者（インターネットプロバイダを含む）３に接続する。
【００２７】
通信サービス事業者（インターネットプロバイダを含む）３は、主なサービスとして提供しているメールサービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、デジタルカメラ１をＷＷＷ５に接続させるための機能も備えている。
【００２８】
通信回線網４は、アナログ回線、デジタル回線、広域ＬＡＮ、ＡＤＳＬ回線を含む、既知の通信回線網であり、ＷＷＷ５は所謂インターネットである。
【００２９】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ７は、一般家庭に存在するケースを示すためのものであり、通信回線網４、ＩＳＰ６を介して、ＷＷＷ５に接続したり、メールの送受信を行う機能を備えている。
【００３０】
図２は、デジタルカメラ１の構成を示すブロック図である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、パケット送信されたデータ（メールデータやアルバムデータ）を、ＲＡＭ２９に出力する。また一方、送信の際には、送信するためのデータを変調するなどの無線通信に必要な処理をする。制御部２２は、各種動作及び全体の動作を制御する。
【００３１】
キー入力部１４には、電源スイッチキー、通信モードキー、ページめくりキー、シャッターキー、文字入力キー、テンキー、各種機能キー（メールキー、アドレスキー、ファンクションキー）などからなる。メールキーは、メール機能を起動し、メールメニューを表示するためのものである。アドレスキーは、送信先のメールアドレスを選択する際に用いるアドレス帳を開くためのものである。
【００３２】
画像メモリ２３は、撮像部１８で撮像され、後述する画像処理プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００３３】
ドライバ２５は、表示部１３を駆動する。加入者情報記憶部２７は、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。報知デバイス１９２は、メール受信時に発音する報知スピーカ１９、及び振動動作するバイブレータ１９１を駆動させるためのドライバである。
【００３４】
図３は、前記撮像部１８の詳細を示すブロック図である。撮像部１８は、光学レンズ１８１、この光学レンズ１８１により結像されるＣＣＤ等の撮像素子１８２と、撮像素子１８２を駆動するためのＴＧ１８３と、撮像素子１８２から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路１８４を有している。そして、被写体の像が光学レンズ１８１を介して撮像素子１８２上に結像され、撮像素子１８２は信号を出力する。この撮像素子１８２から出力された信号は、ユニット回路１８４にて、サンプリング、増幅、デジタル化され、制御部２２に送られて、この制御部２２内で輝度に変換され、輝度の積分やヒストグラム処理が行われる。
【００３５】
前記光学レンズ１８１は、ＡＦモータ等を備えるレンズ駆動回路１８５に保持されており、レンズ駆動回路１８５が制御部２２の制御により駆動されることにより光軸方向に移動し、撮像素子１８２に結像される被写体像のフォーカスを調整する。また、ＡＥ制御時には、撮像素子１８２が、制御部２２から送られるシャッターパルスに基づきＴＧ１８３によって駆動され、その電荷蓄積時間を制御される。これにより電子シャッターが実現される。
【００３６】
制御部２２は各種の信号処理、及び画像処理機能を備えたものであり、ユニット回路１８４を経てデジタル信号に変換された撮像信号からビデオ信号を生成し、撮像素子１８２によって撮像した被写体像をスルー画像として前記表示部１３に表示させる。また、撮像時には、撮像信号を圧縮してＪＰＥＧフォーマットの画像ファイルを生成し、それを前記画像メモリ２３等に記憶させ、再生時には圧縮した画像ファイルを伸張して表示部１３に表示させる。
【００３７】
図４は、ＲＯＭ２４のメモリエリアの構成を示す概念図である。このＲＯＭ２４は、本実施の形態の特徴であるソフトウェアプログラムを格納する。ＲＯＭ２４は、ソフトウェアプログラム領域２４１と、画像処理プログラム領域２４２及びその他のプログラム領域２４３からなる。
【００３８】
ソフトウェアプログラム領域２４１は、アプリケーション本体を格納すする。画像処理プログラム領域２４２は、撮像部１８で撮像され、デジタル符号化された画像を、ＪＰＥＧ方式やＰＮＧ、ＧＩＦ方式で圧縮処理するための画像処理プログラムを格納する。その他プログラム領域は、ダウンロードしたプログラムを含む上記以外のアプリケーションプログラムなどを格納する。
【００３９】
図５は、ＲＡＭ２９のメモリエリアの構成を示す概念図である。ＲＡＭ２９は、アドレス帳データ格納領域２９１、メールデータ格納領域２９２、添付ファイル格納領域２９３、アルバムデータ記憶領域２９４、及びその他のワークメモリ２９５からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。アルバムデータ記憶領域２９４は、後述するアルバムデータ（アルバムファイル）を格納する。その他のワークメモリ２９５は、その他のワークメモリとして各種データ格納する。
【００４０】
次に、以上の構成に係る本実施形態の動作について説明する。図６のフローチャートに示すように、デジタルカメラ１のユーザは、キー入力部１４にて通信モードキーをオンにする（ステップＵ１０１）。すると、制御部２２は、ＲＯＭ２４に格納されているプログラムに基づき動作を開始して、通信モードキーのオンを検知する（ステップＣ１０１）。さらに、モード開始処理を実行し、無線基地局２を介して通信サービス事業者３に接続する（ステップＣ１０２）。この状態で、ユーザがキー入力部１４にてカメラへのアルバムデータ送信操作を行うと（ステップＵ１０２）、制御部２２はこれを検知して（ステップＣ１０３）、アルバムデータ受信処理を実行する（ステップＣ１０４）。
【００４１】
すなわち、ユーザ等は図７（ａ）に示すように、予めパーソナルコンピュータ７を用いて、アルバムデータ３０（アルバムファイル）を作成する。このアルバムデータ３０は図示のように、画像が挿入される画像貼り付けエリア３０１と、この画像貼り付けエリア３０１の下部に文字データからなるコメントデータ３０２が付加されたレイアウトを１頁として、表示部１３に１表示させ得るデータであり、単一ページ又は複数ページ分のデータ（ファイル）で構成される。そして、このアルバムデータ３０を、無線基地局２を介して通信サービス事業者３に送信すると、デジタルカメラ１の制御部２２は、アルバムデータ受信処理を実行して（ステップＣ１０４）、パーソナルコンピュータ７から送信されたアルバムデータ３０を受信し、アルバムデータ記憶領域２９４に保存する（ステップＣ１０５）。
【００４２】
しかる後にユーザは、コメントデータ３０２が示す「○○ランドマーク」の撮影を行うべく、図７（ｂ）に示すように、ランドマークＬが存在する地点にてシャッターキーを押下し、撮影実行操作を行う。すると、撮影処理が実行され、ユニット回路１８４を経てデジタル信号に変換された撮影信号を圧縮してＪＰＥＧフォーマットの画像ファイルを生成し、この画像ファイルを画像メモリ２３に格納する。このように、ユーザは、「○○ランドマーク」や「○○村の食事」等、コメントデータ３０２が示す画像の撮影を予め行っておく。
【００４３】
そして、ユーザがランドマークＬを撮影後、キー入力部１４にて再生モードをＯＮにすると（ステップＵ１０３）、デジタルカメラ１の制御部２２は、これを検知した後（ステップＣ１０６）、アルバムデータ記憶領域２９４にアルバムデータ３０が記憶されているか否かを判断する（ステップＣ１０７）。アルバムデータ３０が記憶されていない場合には、通常の再生処理に移行し（ステップＣ１０８）、前述のように画像メモリ２３に記憶させた画像ファイルを伸張して表示部１３に表示させる。したがって、この場合には通常の画像再生と同様に、表示部１３の画面全体にランドマークＬの画像が表示される。
【００４４】
また、ステップＣ１０７での判断の結果、アルバムデータ記憶領域２９４にアルバムデータ３０が記憶されている場合には、該アルバムデータ記憶領域２９４に記憶されているアルバムデータ３０のうち、１頁分のアルバムデータ３０を表示部１３に表示する（ステップＣ１０９）。引き続き、画像メモリ２３に記憶させた画像データ（画像ファイル）が表示部１３に表示されたアルバムデータ３０の画像貼り付けエリア３０１に合致するサイズで表示されるように、画像データを縮小処理する（ステップＣ１１０）。そして、この縮小処理した画像データに基づく画像をアルバムデータ３０の画像貼り付けエリア３０１を挿入して、画像表示処理を行う（ステップＣ１１１）。このステップＣ１１１での処理により、図７（ｃ）に示すように、デジタルカメラ１の表示部１３には、アルバムデータ３０の画像貼り付けエリア３０１にランドマークＬの画像が貼り付けられたアルバム画像が表示されることとなる。
【００４５】
また、ユーザがキー入力部１４にて頁めくり操作を行うと（ステップＵ１０４、１０５）、デジタルカメラ１の制御部２２は頁めくり検知されたか否かを判断し（ステップＣ１１２）、検知された場合には頁データ更新処理を実行して（ステップＣ１１３）、アルバムデータ３０の次頁データを読み出すための処理を行う。このとき、アルバムデータ３０に次頁データがなく終了であるか否かを判断し（ステップＣ１１４）、終了である場合にはこのフローチャートに従った処理を終える。また、アルバムデータ３０の次頁データがある場合には、前述したステップＣ１０９からの処理再度実行する。
【００４６】
（第２の実施の形態）
【００４７】
図８、９は、本発明の第２の実施の形態を示すものである。図８のフローチャートに示すように、デジタルカメラ１のユーザは、先ずキー入力部１４にて通信モードキーをオンにする（ステップＵ２０１）。すると、制御部２２は、ＲＯＭ２４に格納されているプログラムに基づき動作を開始して、通信モードキーのオンを検知する（ステップＣ２０１）。さらに、モード開始処理を実行し、無線基地局２を介して通信サービス事業者３に接続する（ステップＣ２０２）。この状態で、ユーザがキー入力部１４にてカメラへのアルバムデータ送信操作を行うと（ステップＵ２０２）、制御部２２はこれを検知して（ステップＣ２０３）、アルバムデータ受信処理を実行する（ステップＣ２０４）。
【００４８】
すなわち、ユーザ等は図９（ａ）に示すように、予めパーソナルコンピュータ７を用いて、アルバムデータ３０を作成する。このアルバムデータ３０は図示のように、画像が挿入される画像貼り付けエリア３０１と、この画像貼り付けエリア３０１以外の空白エリア３０３とからなるレイアウトを１頁として、表示部１３に１表示させ得るデータであり、単一ページ又は複数ページ分のデータで構成される。そして、このアルバムデータ３０を、無線基地局２を介して通信サービス事業者３に送信すると、デジタルカメラ１の制御部２２は、アルバムデータ受信処理を実行して（ステップＣ２０４）、パーソナルコンピュータ７から送信されたアルバムデータ３０を受信し、アルバムデータ記憶領域２９４に保存する（ステップＣ２０５）。
【００４９】
一方、本実施の形態においては、図９（ｂ）に示すように、ランドマークＬとなる建築物の近傍に無線基地局２を有する通信サービス事業者３が存在する。そして、前述のようにアルバムデータ３０をアルバムデータ記憶領域２９４に保存した状態でランドマークＬを撮影すると、その画像ファイルが画像メモリ２３に格納される一方、通信サービス事業者３から無線基地局２を介して、当該ランドマークＬに関するコメントである文字情報からなるランドマーク情報が送信されくる。デジタルカメラ１の制御部２２はこのランドマーク情報を受信して、ワークメモリ２９５に保存する（ステップＣ２０６）。
【００５０】
そして、ユーザがランドマークＬを撮影後、キー入力部１４にて再生モードをＯＮにすると（ステップＵ２０３）、デジタルカメラ１の制御部２２は、これを検知した後（ステップＣ２０７）、アルバムデータ記憶領域２９４にアルバムデータ３０が記憶されているか否かを判断する（ステップＣ２０８）。アルバムデータ３０が記憶されていない場合には、通常の再生処理に移行し（ステップＣ２０９）、前述のように画像メモリ２３に記憶させた画像ファイルを伸張して表示部１３に表示させる。したがって、この場合には通常の画像再生と同様に、表示部１３の画面全体にランドマークＬの画像が表示される。
【００５１】
また、ステップＣ２０８での判断の結果、アルバムデータ記憶領域２９４にアルバムデータ３０が記憶されている場合には、該アルバムデータ記憶領域２９４に記憶されているアルバムデータ３０のうち、１頁分のアルバムデータ３０を表示部１３に表示する（ステップＣ２１０）。引き続き、画像メモリ２３に記憶させた画像データ（画像ファイル）が表示部１３に表示されたアルバムデータ３０の画像貼り付けエリア３０１に合致するサイズで表示されるように、画像データを縮小処理する（ステップＣ２１１）。
【００５２】
次に、前記ランドマーク情報を受信済であるか否かを判断するが（ステップＣ２１２）、前述のステップＣ２０６の処理でランドマーク情報は受信済みである。よって、該当頁に文字表示エリアがあるか否かを判断する（ステップＣ２１３）。つまり、アルバムデータ３０の画像貼り付けエリア３０１以外の空白エリア３０３に、前記受信したランドマーク情報を貼り付けるスペースがあるか否かを判断する（ステップＣ２１３）。そして、文字表示エリアがある場合には、文字情報表示処理を行って、アルバムデータ３０の空白エリア３０３において、画像貼り付けエリア３０１の下部にランドマーク情報を貼り付ける（ステップＣ２１４）。さらに、このランドマーク情報が貼り付けられたアルバムデータ３０の画像貼り付けエリア３０１に、前述のステップＣ２１１で縮小処理された画像データに基づく画像挿入して、画像表示処理を行う（ステップＣ２１５）。このステップＣ２１５での処理により、図９（ｃ）に示すように、デジタルカメラ１の表示部１３には、アルバムデータ３０の画像貼り付けエリア３０１にランドマークＬの画像が貼り付けられ、かつこのランドマークＬの下部の空白エリア３０３に、ランドマーク情報３０４が貼り付けられたアルバム画像が表示されることとなる。
【００５３】
（第３の実施の形態）
図１０及び図１１は、本発明の第３の実施の形態を示すものである。図１０のフローチャートに示すように、デジタルカメラ１のユーザは、先ずキー入力部１４にて通信モードキーをオンにする（ステップＵ３０１）。すると、制御部２２は、ＲＯＭ２４に格納されているプログラムに基づき動作を開始して、通信モードキーのオンを検知する（ステップＣ３０１）。さらに、モード開始処理を実行し、無線基地局２を介して通信サービス事業者３に接続する（ステップＣ３０２）。この状態で、ユーザがキー入力部１４にてカメラへのアルバムデータ送信操作を行うと（ステップＵ３０２）、制御部２２はこれを検知して（ステップＣ３０３）、アルバムデータ受信処理を実行する（ステップＣ３０４）。
【００５４】
すなわち、例えばオリエンテーリングの主催者は図１１（ａ）に示すように、予めパーソナルコンピュータ７を用いて、アルバムデータ３０を作成する。このアルバムデータ３０は図示のように、画像が挿入される画像貼り付けエリア３０１を有する。そして、この画像貼り付けエリア３０１には、受信後表示可能な文字データからなる問題データ３０５が挿入されており、また、アルバムデータ３０の一部には受信後表示不可能な画像データ（Ａビルの画像データ）からなる答えデータ３０６が含まれている。そして、このアルバムデータ３０を、無線基地局２を介して通信サービス事業者３に送信すると、デジタルカメラ１の制御部２２は、アルバムデータ受信処理を実行して、パーソナルコンピュータ７から送信されたアルバムデータ３０を受信する（ステップＣ３０４）。さらに、受信したアルバムデータ３０をアルバムデータ記憶領域２９４に保存するともに、表示部１３に表示する（ステップＣ３０５）。これにより、表示部１３には、問題データ３０５に基づく問題が表示されることとなる。
【００５５】
そこで、この問題を視認したユーザは、当該問題の解答となる「Ａビル」が存在すると思われる場所に向かう。当該場所に到達したならば、図１１（ｂ）に示すように、そこにあるランドマークＬを撮影すべく、撮影モードを設定してシャッターキーを押下すると（ステップＵ３０３）、制御部２２はこれを検知する（ステップＣ３０６）。そして、アルバムデータ記憶領域２９４にアルバムデータ３０が記憶されているか否かを判断する（ステップＣ３０７）。アルバムデータ３０が記憶されていない場合には、通常画像保存処理を行って、画像メモリ２３に撮影した画像データを格納する（ステップＣ３０８）。
【００５６】
また、アルバムデータ記憶領域２９４にアルバムデータ３０が記憶されている場合には、さらにクイズ答えデータ３０６が記憶されている否かを判断し（ステップＣ３０９）、記憶されていない場合には、通常のアルバム画像データ保存処理を実行する（ステップＣ３１０）。また、答えデータ３０６が記憶されている場合には、答えデータ３０６とユーザが撮影したランドマークＬとが一致するか否かを判断する（ステップＣ３１１）。
【００５７】
すなわち、制御部２２は、答えデータ３０６の画像と今回ユーザが撮影した画像とをマッチングして、両者に一致性があるか否か（あるいは両者の特徴部分に一致性があるか否か）を判断する。そして、両者に一致性がなかった場合には、同様に通常画像保存処理を行って、画像メモリ２３に撮影した画像データを格納する（ステップＣ３１２）。しかし、両者に一致性があった場合には、アルバムデータ３０の所定位置、つまり問題データ３０５が挿入されていた画像貼り付けエリア３０１に撮影した画像が表示されるように、画像データをアルバムデータ記憶領域２９４に保存する。したがって、アルバムデータ記憶領域２９４に保存されているアルバムデータ３０を表示部１３に表示させた際には、図１１（ｃ）に示すように、アルバムデータ３０の画像貼り付けエリア３０１にランドマークＬ（Ａビル）の画像が貼り付けられたアルバム画像が表示されることとなる。
【００５８】
（第４の実施の形態）
図１２及び図１３は、本発明の第４の実施の形態を示すものである。図１２のフローチャートに示すように、デジタルカメラ１のユーザは、先ずキー入力部１４にて通信モードキーをオンにする（ステップＵ４０１）。すると、制御部２２は、ＲＯＭ２４に格納されているプログラムに基づき動作を開始して、通信モードキーのオンを検知する（ステップＣ４０１）。さらに、モード開始処理を実行し、無線基地局２を介して通信サービス事業者３に接続する（ステップＣ４０２）。この状態で、ユーザがキー入力部１４にてカメラへのアルバムデータ送信操作を行うと（ステップＵ４０２）、制御部２２はこれを検知して（ステップＣ４０３）、アルバムデータ受信処理を実行する（ステップＣ４０４）。
【００５９】
すなわち、例えばオリエンテーリングの主催者が図１３（ｃ）に示すようなアルバムデータ３０を作成する。このアルバムデータ３０は図示のように、画像が挿入される画像貼り付けエリア３０１を有し、この画像貼り付けエリア３０１に所定のランドマーク画像を貼り付けると、その下部にパスワード３０７（又はクイズ）が表示されるように構成されている。そして、このアルバムデータ３０の送信を通信サービス事業者３に依頼しておくと、通信サービス事業者３は該アルバムデータ３０の送信を行い、デジタルカメラ１の制御部２２は、アルバムデータ受信処理を実行して、通信サービス事業者３から送信されたアルバムデータ３０を受信する（ステップＣ４０４）。さらに、受信したアルバムデータ３０をアルバムデータ記憶領域２９４に保存する（ステップＣ４０５）。
【００６０】
そこで、ユーザは予め知らされている前記ランドマーク画像を撮影すべく、図１３（ａ）に示すように、当該ランドマークＬを撮影可能な場所に向かう。当該場所に到達したならば、同図に示すように、そこにあるランドマークＬを撮影すべく、撮影モードを設定してシャッターキーを押下すると（ステップＵ４０３）、制御部２２はこれを検知する（ステップＣ４０６）。そして、アルバムデータ記憶領域２９４にアルバムデータ３０が記憶されているか否かを判断する（ステップＣ４０７）。アルバムデータ３０が記憶されていない場合には、通常画像保存処理を行って、画像メモリ２３に撮影した画像データを格納する（ステップＣ４０８）。
【００６１】
また、アルバムデータ記憶領域２９４にアルバムデータ３０が記憶されている場合には、それがパスワード３０７（又はクイズ）のあるアルバムデータ３０である否かを判断する（ステップＣ４０９）。パスワード３０７のないデータである場合には、通常のアルバム画像データ保存処理を実行する（ステップＣ４１０）。また、パスワード３０７（又はクイズ）のあるアルバムデータ３０である場合において、ユーザがキー入力部１４にて画像貼り付け位置（アルバムデータ３０における何れかの画像貼り付けエリア３０１）を指定すると（ステップＵ４０４）（図１３（ｂ））、制御部２２はこれを検知する（ステップＣ４１１）。
【００６２】
そして、この指定された画像貼り付け位置情報（指定されたアルバムデータ３０における何れかの画像貼り付けエリア３０１を示す情報）をアルバムデータ記憶領域２９４を保存する（ステップＣ４１２）。さらに、この記憶した画像貼り付けエリア３０１に撮影した画像を貼り付けて表示するとともに、パスワード３０７を表示する（ステップＣ４１３）。このステップＣ４１３での処理により、図１３（ｃ）に示すように、ユーザにより指定された画像貼り付けエリア３０１にランドマークＬの撮影画像が貼り付けられて表示されるとともに、その下部にパスワード３０７（本実施の形態においては、パスワード「あ」）が表示される。したがって、以上の処理が繰り返されることにより、撮影及び画像の貼り付け毎にパスワードを表示させて最終的に回答を得るゲーム、あるいは撮影及び画像の貼り付け毎にパスワードを表示させて回答させるゲームを行うことが可能となる。
【００６３】
（第５の実施の形態）
図１４及び図１５は、本発明の第５の実施の形態を示すものである。図１４のフローチャートに示すように、ユーザは、先ずデジタルカメラ１の撮影モードをオンにする（ステップＵ５０１）。すると、デジタルカメラ１の制御部２２は、ＲＯＭ２４に格納されているプログラムに基づき動作を開始して、撮影モード開始処理を実行する（ステップＣ５０２）。そして、所望の被写体を撮影すべく、シャッターキーを押下して、撮影操作を行うと（ステップＵ５０２）、制御部２２はこれを検知した後（ステップＣ５０３）、アルバムデータ記憶領域２９４にアルバムデータが格納されているか否かを判断する（ステップＣ５０４）。アルバムデータ記憶領域２９４にアルバムデータが格納されてない場合には、通常画像保存処理を行って、画像メモリ２３に撮影した画像データを格納する（ステップＣ５０５）。
【００６４】
アルバムデータ記憶領域２９４にアルバムデータが格納されている場合には、同一のアルバムデータが格納しているコンピュータをネットワーク上から検索する（ステップＣ５０６）。すなわち、通信サービス事業者３のメインサーバ３１には、当該メインサーバ３１に接続可能な複数のパーソナルコンピュータ７（図１においては、１台のパーソナルコンピュータ７のみ図示）がどのアルバムデータを記憶しているかを示すデータが格納されている。そして、デジタルカメラ１は通信サービス事業者３のメインサーバ３１に接続して、当該デジタルカメラ１と同じアルバムデータを格納しているパーソナルコンピュータを検索する。
【００６５】
そして、同一のアルバムデータを格納しているコンピュータが検出されたか否かを判断し（ステップＣ５０７）、検出されない場合には、撮影した画像データをアルバムデータに保存する処理のみを実行する（ステップＣ５０８）。また、同一のアルバムデータを格納しているコンピュータが検出された場合には（本実施の形態においては、図１５（ａ）に示すように、パーソナルコンピュータ７がデジタルカメラ１と同一のアルバムデータ３０を格納しているものとする。）、撮影した画像データをアルバムデータの指定位置に保存するとともに（ステップＣ５０９）、図１５（ｂ）に示すように、当該撮影画像をパーソナルコンピュータ７に送信する（ステップＣ５１０）。これにより、パーソナルコンピュータ７は、アルバムデータ３０の画像貼り付けエリア３０１にデジタルカメラ１から送信されてきた画像Ｐを貼り付けて表示することができる。よって、撮影を行うデジタルカメラ１と、これとは離れた場所にあるパーソナルコンピュータ７とが同一のアルバム画像を同期して表示することができる。
【００６６】
（第６の実施の形態）
図１６〜図１８は、本発明の第６の実施の形態を示すものである。図１６は、本実施の形態に係る送受信システムの構成を示すブロック図である。本実施の形態においては、デジタルカメラ１ａ，１ｂを用いる。このデジタルカメラ１ａ，１ｂは、前述した実施の形態におけるデジタルカメラ１と同一の構成であり、また、他のシステム構成も図１に示した実施の形態と同様である。なお、本実施の形態においてデジタルカメラ１ａ，１ｂは、図１８（ａ）に示すように、同一のＩＤ（ＩＤ：１３５ＡＣ）が設定されているものとする。また、図１８（ａ）に示すように、ユーザＡがデジタルカメラ１ａを用いて撮影を行い、画像貼り付けエリア３０１に撮影画像が貼り付けられたアルバムデータ３０をアルバムデータ記憶領域２９４に格納しており、デジタルカメラ１ｂのユーザＢが、ユーザＡのデジタルカメラ１ａに記憶されているアルバムを閲覧する場合について説明する。
【００６７】
すなわち、図１７のフローチャートに示すように、ユーザＢはキー入力部１４にてデジタルカメラ１ｂの通信モードをＯＮにする（ステップＵ６０１）。するとデジタルカメラ１ｂの制御部２２は、これを検知して（ステップＣ６０１）、モード開始処理を実行し通信サービス事業者３との接続を確立する（ステップＣ６０２）。また、ユーザＢが所定のＩＤ設定操作を行った後（ステップＵ６０２）、ＩＤ（ＩＤ：１３５ＡＣ）を入力して（ステップＵ６０３）、アルバムを閲覧したいカメラを指定すると（ステップＵ６０４）、デジタルカメラ１ｂの制御部２２はこれらを検知する（ステップＣ６０３〜６０５）。
【００６８】
次に、デジタルカメラ１ｂの制御部２２は、通信サービス事業者３を介して指定されカメラを発呼してデジタルカメラ１ａと接続する（ステップＣ６０６）（図１８（ｃ））。さらに、ＩＤが一致するか否かを確認し（ステップＣ６０７）、一致しない場合にはエラー処理を実行する（ステップＣ６０８）。一致する場合には、通信先（デジタルカメラ１ａ）にアルバムデータがあるか否かを判断し（ステップＣ６０９）、本例においてはデジタルカメラ１ａにアルバムデータがあるので、デジタルカメラ１ａから送信されるアルバムデータを受信する（ステップＣ６１０）。
【００６９】
そして、このデジタルカメラ１ａから受信したアルバムデータをその他のワークメモリ２９５の一部に設けられている記憶バッファに退避して一時的に記憶した後（ステップＣ６１１）、このアルバムデータを表示部１３に表示させる（ステップＣ６１２）。これにより、図１８（ｄ）に示すように、両デジタルカメラ１ａ，１ｂの各表示部１３に同一のアルバムデータ３０を表示させることもできる。
【００７０】
また、デジタルカメラ１ｂの表示部１３でアルバムデータ３０を確認したユーザＢは、これを保存すべきか否かを判断し（ステップＵ６０５）、保存すべきと判断した場合には保存実行処理操作を行う（ステップＵ６０６）。他方、デジタルカメラ１ｂの制御部２２は、保存実行が検出されたか否かを判断し（ステップＣ６１３）、保存実行が検出されない場合には、前記バッファ内に一時的に記憶に記憶したアルバムデータを消去する（ステップＣ６１４）。また、保存実行が検出された場合には、バッファ内のアルバムデータを記憶メディアである画像メモリ２３に書き出して記憶させる（ステップＣ６１５）。これにより、デジタルカメラ１ｂにデジタルカメラ１ａと同一のアルバムデータが記憶されることとなり、両者で同一のアルバムデータが共有化されることとなる。
【図面の簡単な説明】
【００７１】
【図１】本発明の一実施の形態に係るシステムの構成を示すブロック図である。
【図２】デジタルカメラの構成を示すブロック図である。
【図３】撮像部の詳細を示すブロック図である、
【図４】ＲＯＭのメモリエリアの構成を示す概念図である。
【図５】ＲＡＭのメモリエリアの構成を示す概念図である。
【図６】第１の実施の形態おける処理手順を示すフローチャートである。
【図７】同実施の形態の動作説明図である。
【図８】第２の実施の形態おける処理手順を示すフローチャートである。
【図９】同実施の形態の動作説明図である。
【図１０】第３の実施の形態おける処理手順を示すフローチャートである。
【図１１】同実施の形態の動作説明図である。
【図１２】第４の実施の形態おける処理手順を示すフローチャートである。
【図１３】同実施の形態の動作説明図である。
【図１４】第５の実施の形態おける処理手順を示すフローチャートである。
【図１５】同実施の形態の動作説明図である。
【図１６】第６の形態に係るシステムの構成を示すブロック図である。
【図１７】同実施の形態おける処理手順を示すフローチャートである。
【図１８】同実施の形態の動作説明図である。
【符号の説明】
【００７２】
１    デジタルカメラ
１ａ    デジタルカメラ
１ｂ    デジタルカメラ
２    無線基地局
３    通信サービス事業者
４    通信回線網
７    パーソナルコンピュータ
１３    表示部
１４    キー入力部
１８    撮像部
２０    無線送受信部
２１    無線信号処理部
２２    制御部
２３    画像メモリ
２４    ＲＯＭ
２５    ドライバ
２７    加入者情報記憶部
２８    システムＲＯＭ
２９    ＲＡＭ
３０    アルバムデータ
３１    メインサーバ
３２    Ｗｅｂサーバ
３３    メールサーバ
３４    交換機
６１    メインサーバ
６２    Ｗｅｂサーバ
６３    メールサーバ
３０１    画像貼り付けエリア
３０２    コメントデータ
３０３    空白エリア
３０４    ランドマーク情報
３０５    問題データ
３０６    答えデータ
３０７    パスワード
Ｌ    ランドマーク
Ｐ    画像
【図１】
2005051642.tif 000003
【図２】
2005051642.tif 000004
【図３】
2005051642.tif 000005
【図４】
2005051642.tif 000006
【図５】
2005051642.tif 000007
【図６】
2005051642.tif 000008
【図７】
2005051642.tif 000009
【図８】
2005051642.tif 000010
【図９】
2005051642.tif 000011
【図１０】
2005051642.tif 000012
【図１１】
2005051642.tif 000013
【図１２】
2005051642.tif 000014
【図１３】
2005051642.tif 000015
【図１４】
2005051642.tif 000016
【図１５】
2005051642.tif 000017
【図１６】
2005051642.tif 000018
【図１７】
2005051642.tif 000019
【図１８】
2005051642.tif 000020